【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
遊技機に対応して設けられる遊技用装置であって、
単位遊技媒体あたりの価値が異なるレートを設定可能なレート設定手段と、
前記レート設定手段により設定可能なレート毎に、遊技者が貯留する遊技媒体数を示す貯玉情報を記憶する記憶手段と、
前記記憶手段に記憶された前記貯玉情報に基づき、前記レート設定手段が設定した前記レートを参照して、遊技媒体の払出制御を実行可能な遊技媒体払出手段と、
前記遊技媒体払出手段において払出制御が実行可能な遊技媒体数の上限値を設定可能な上限設定手段と、
遊技者による操作を受付可能な操作受付手段と、
遊技者を認証する認証手段と、を備え、
前記上限設定手段は、前記貯玉情報の前記レートである乗入元レートを参照して前記上限値を設定し、
前記遊技媒体払出手段は、
前記記憶手段に記憶された前記貯玉情報の前記乗入元レートと、前記操作受付手段で遊技者による操作を受け付けている前記遊技用装置において設定された前記レートである乗入先レートと、が異なる場合には、前記認証手段により認証された後、前記操作受付手段により受け付けた遊技者の操作に基づき指定された前記乗入元レートの前記貯玉情報が示す遊技媒体数が前記乗入先レートでの遊技媒体数に換算され、遊技媒体の払出制御を実行し、
前記認証手段により１回認証された後には、少なくとも前記上限値に達するまで、前記認証手段により認証されなくとも、遊技媒体の払出制御を実行し、
前記操作受付手段は、
前記遊技媒体払出手段において、前記操作受付手段により受け付けた遊技者の操作に基づき指定された前記乗入元レートの前記貯玉情報に基づき払出制御が実行された遊技媒体の数が前記上限値に達しており、
前記遊技媒体払出手段において、前記記憶手段に記憶されている、指定されていた前記乗入元レートとは異なる前記レートである別乗入元レートの前記貯玉情報が示す遊技媒体数が前記乗入先レートでの遊技媒体数に換算され、遊技媒体の払出制御を実行できない場合には、
遊技者による前記記憶手段に記憶された前記貯玉情報に基づく遊技媒体の払い出しを要求する操作を実行不可能とすることを特徴とする遊技用装置。
【請求項２】
前記認証手段は、遊技者を認証するための認証情報を受け付け、
記憶媒体の識別情報を読み込む記憶媒体情報読込手段と、
消費金額を表示可能な表示手段と、
前記表示手段を表示制御する制御手段と、
前記消費金額と前記識別情報とを対応付け、前記認証情報と前記識別情報とを対応付ける対応付け手段と、を備え、
前記制御手段は、前記認証情報と前記識別情報とが対応付けられていないときは、当該識別情報に対応付けられた前記消費金額を表示せず、前記認証情報と前記識別情報とが対応付けられているときは、当該識別情報に対応付けられた前記消費金額を表示可能とすることを特徴とする請求項１に記載の遊技用装置。
【請求項３】
記憶媒体を受け入れ可能な受入手段と、
前記記憶媒体の識別情報を読み込む記憶媒体情報読込手段と、
遊技媒体として消費された消費金額を表示可能な表示手段と、
前記消費金額と前記識別情報とを対応付ける対応付け手段と、
遊技者の操作に応じて前記受入手段が受け入れた前記記憶媒体をロックすると共に、前記記憶媒体がロックされていないときは前記識別情報に対応付けられた前記消費金額を表示せず、前記記憶媒体がロックされているときは前記識別情報に対応付けられた前記消費金額を表示可能とする制御手段と、を備えることを特徴とする請求項１に記載の遊技用装置。
【請求項４】
消費金額を表示可能な表示手段と、
前記表示手段に前記消費金額を表示するか否かを選択するための表示選択手段と、
入金又は記憶媒体の受け付けがあったと判断されたときから、前記表示手段で表示させる前記消費金額の算出を行い、遊技者の選択に応じて前記表示手段で前記消費金額の表示を行うように制御する制御手段と、を備え、
前記制御手段は、前記表示選択手段において前記表示手段に前記消費金額を表示しない選択がされた場合、前記消費金額の算出を終了すると共に前記消費金額の表示を終了する制御を行うことを特徴とする請求項１に記載の遊技用装置。
【請求項５】
前記記憶手段は、前記貯玉情報とは別に、前記レート設定手段により設定可能なレート毎に、計数された遊技媒体数を示す計数持玉情報を記憶し、
前記遊技媒体払出手段は、前記記憶手段に記憶された前記計数持玉情報に基づき、前記レート設定手段が設定した前記レートを参照して、前記上限値に関わらず遊技媒体の払出制御を実行可能であることを特徴とする請求項１から４のいずれかに記載の遊技用装置。
【請求項６】
遊技機に対応して設けられる遊技用装置及びサーバからなる遊技システムであって、
単位遊技媒体あたりの価値が異なるレートを設定可能なレート設定手段と、
前記レート設定手段により設定可能なレート毎に、遊技者が貯留する遊技媒体数を示す貯玉情報を記憶する記憶手段と、
前記記憶手段に記憶された前記貯玉情報に基づき、前記レート設定手段が設定した前記レートを参照して、遊技媒体の払出制御を実行可能な遊技媒体払出手段と、
前記遊技媒体払出手段において払出制御が実行可能な遊技媒体数の上限値を設定可能な上限設定手段と、
遊技者による操作を受付可能な操作受付手段と、
遊技者を認証する認証手段と、を備え、
前記上限設定手段は、前記貯玉情報の前記レートである乗入元レートを参照して前記上限値を設定し、
前記遊技媒体払出手段は、
前記記憶手段に記憶された前記貯玉情報の前記乗入元レートと、前記操作受付手段で遊技者による操作を受け付けている前記遊技用装置において設定された前記レートである乗入先レートと、が異なる場合には、前記認証手段により認証された後、前記操作受付手段により受け付けた遊技者の操作に基づき指定された前記乗入元レートの前記貯玉情報が示す遊技媒体数が前記乗入先レートでの遊技媒体数に換算され、遊技媒体の払出制御を実行し、
前記認証手段により１回認証された後には、少なくとも前記上限値に達するまで、前記認証手段により認証されなくとも、遊技媒体の払出制御を実行し、
前記操作受付手段は、
前記遊技媒体払出手段において、前記操作受付手段により受け付けた遊技者の操作に基づき指定された前記乗入元レートの前記貯玉情報に基づき払出制御が実行された遊技媒体の数が前記上限値に達しており、
前記遊技媒体払出手段において、前記記憶手段に記憶されている、指定されていた前記乗入元レートとは異なる前記レートである別乗入元レートの前記貯玉情報が示す遊技媒体数が前記乗入先レートでの遊技媒体数に換算され、遊技媒体の払出制御を実行できない場合には、
遊技者による前記記憶手段に記憶された前記貯玉情報に基づく遊技媒体の払い出しを要求する操作を実行不可能とすることを特徴とする遊技システム。
【手続補正２】
【補正対象書類名】明細書
【補正対象項目名】発明の名称
【補正方法】変更
【補正の内容】
【発明の名称】遊技用装置及び遊技システム
【手続補正３】
【補正対象書類名】明細書
【補正対象項目名】０００１
【補正方法】変更
【補正の内容】
【０００１】
本発明は、パチンコ機やパチスロ機等の遊技機に対応して設けられる遊技用装置及び遊技システムに関する。
【手続補正４】
【補正対象書類名】明細書
【補正対象項目名】０００７
【補正方法】変更
【補正の内容】
【０００７】
本発明はこのような問題点を解決し、遊技者の利便性を向上可能な遊技用装置及び遊技システムを提供することを目的とする。
【手続補正５】
【補正対象書類名】明細書
【補正対象項目名】０００８
【補正方法】変更
【補正の内容】
【０００８】
本発明は、以下のような遊技用装置を提供する。本発明の遊技用装置は、遊技機（例えば、後述の遊技機３等）に対応して設けられる遊技用装置（例えば、後述の遊技媒体取扱装置１等）であって、単位遊技媒体あたりの価値が異なるレートを設定可能なレート設定手段（例えば、後述のレート設定部１００ｋ等）と、前記レート設定手段により設定可能なレート毎に、遊技者が貯留する遊技媒体数を示す貯玉情報を記憶する記憶手段（例えば、後述の記憶部１０３等）と、前記記憶手段に記憶された前記貯玉情報に基づき、前記レート設定手段が設定した前記レートを参照して、遊技媒体の払出制御を実行可能な遊技媒体払出手段（例えば、後述の遊技媒体払出部１００ｏ等）と、前記遊技媒体払出手段において払出制御が実行可能な遊技媒体数の上限値を設定可能な上限設定手段（例えば、後述の上限設定部１００ｊ等）と、遊技者による操作を受付可能な操作受付手段（例えば、後述の操作受付部１００ｍ等）と、遊技者を認証する認証手段（例えば、後述の認証部１００ｌ等）と、を備え、前記上限設定手段は、前記貯玉情報の前記レートである乗入元レートを参照して前記上限値を設定し、前記遊技媒体払出手段は、前記記憶手段に記憶された前記貯玉情報の前記乗入元レートと、前記操作受付手段で遊技者による操作を受け付けている前記遊技用装置において設定された前記レートである乗入先レートと、が異なる場合には、前記認証手段により認証された後、前記操作受付手段により受け付けた遊技者の操作に基づき指定された前記乗入元レートの前記貯玉情報が示す遊技媒体数が前記乗入先レートでの遊技媒体数に換算され、遊技媒体の払出制御を実行し、前記認証手段により１回認証された後には、少なくとも前記上限値に達するまで、前記認証手段により認証されなくとも、遊技媒体の払出制御を実行し、前記操作受付手段は、前記遊技媒体払出手段において、前記操作受付手段により受け付けた遊技者の操作に基づき指定された前記乗入元レートの前記貯玉情報に基づき払出制御が実行された遊技媒体の数が前記上限値に達しており、前記遊技媒体払出手段において、前記記憶手段に記憶されている、指定されていた前記乗入元レートとは異なる前記レートである別乗入元レートの前記貯玉情報が示す遊技媒体数が前記乗入先レートでの遊技媒体数に換算され、遊技媒体の払出制御を実行できない場合には、遊技者による前記記憶手段に記憶された前記貯玉情報に基づく遊技媒体の払い出しを要求する操作を実行不可能とすることを特徴とする。
【手続補正６】
【補正対象書類名】明細書
【補正対象項目名】００１１
【補正方法】変更
【補正の内容】
【００１１】
また、本発明の遊技用装置によれば、このような場合に、遊技者に指定された乗入元レートの貯玉情報に基づき払出制御が実行された遊技媒体の数が上限値に達しており、記憶手段に記憶されている、指定されていた乗入元レートとは異なるレートである別乗入元レートの貯玉情報が示す遊技媒体数が乗入先レートでの遊技媒体数に換算され、遊技媒体の払出制御（貯玉再プレイ）を実行できない場合には、遊技者による遊技媒体の払い出しを要求する操作が実行不可能となる。
【手続補正７】
【補正対象書類名】明細書
【補正対象項目名】００１２
【補正方法】変更
【補正の内容】
【００１２】
これにより、例えば、貯玉再プレイの上限値が５００枚であり、貯玉情報として、乗入元レート（１枚１０円）の遊技媒体が２００枚貯玉されており、別乗入元レート（１枚５円）の遊技媒体の貯玉が無い状態で、遊技者は、乗入先レートが１枚２０円の遊技機に座って乗入元レート（１枚１０円）の貯玉情報に基づく乗入を指定する。そして、乗入元レート（１枚１０円）の貯玉を使って、乗入先レート（１枚２０円）で５０枚貯玉再プレイを２回行うと、乗入元レート（１枚１０円）の貯玉が無くなる（２０（円）／１０（円）×５０枚×２（回）＝２００枚）。且つ、別乗入元レート（１枚５円）の遊技媒体の貯玉は無いので、別乗入元レート（１枚５円）の貯玉を使って貯玉再プレイはできないので、遊技者による貯玉再プレイを要求する操作が実行不可能となる。よって、遊技者は、記憶手段に記憶された貯玉情報に基づき払い出しを受けた遊技媒体数をレート毎に自ら計算しなくともよい。したがって、遊技者の利便性を向上可能な遊技用装置を提供できる。なお、本発明は、遊技用装置とサーバからなる遊技システムでも、同様の作用効果を奏する。
【手続補正８】
【補正対象書類名】明細書
【補正対象項目名】００２２
【補正方法】変更
【補正の内容】
【００２２】
本発明によれば、遊技者の利便性を向上可能な遊技用装置及び遊技システムを提供できる。